(57)【要約】      （修正有）【課題】回転数を変更することなく耳障りな音を低減し得るポンプ及びこれを備えた金型温度調節装置を提供する。【解決手段】流路１４の吸込口側と吐出口側とを区画するように仕切部１７が設けられたケーシング１０内に、外周部に複数の羽根片２４が周方向に間隔を空けて設けられたインペラ２０を回転自在に設けたポンプ３であって、前記インペラは、電源周波数で駆動されるモーター３０によって回転される際の１秒間当たりの回転数に前記羽根片の枚数を乗じて得られる基本周波数が３．５ｋＨｚ〜６．０ｋＨｚの値となるように構成されている。【選択図】図１
0003204686.tif 000002
【実用新案登録請求の範囲】
【請求項１】
流路の吸込口側と吐出口側とを区画するように仕切部が設けられたケーシング内に、外周部に複数の羽根片が周方向に間隔を空けて設けられたインペラを回転自在に設けたポンプであって、
前記インペラは、電源周波数で駆動されるモーターによって回転される際の１秒間当たりの回転数に前記羽根片の枚数を乗じて得られる基本周波数が３．５ｋＨｚ〜６．０ｋＨｚの値となるように構成されていることを特徴とするポンプ。
【請求項２】
請求項１において、
前記モーターの極数が２であり、前記インペラの羽根片の枚数が７０枚〜９０枚であることを特徴とするポンプ。
【請求項３】
温調媒体を貯留する貯留部と、この貯留部の温調媒体を金型に設けられた媒体流通路に送媒する請求項１または２に記載のポンプと、を備えていることを特徴とする金型温度調節装置。
【考案の詳細な説明】
【技術分野】
【０００１】
本考案は、インペラを回転自在に設けたポンプ及びこれを備えた金型温度調節装置に関する。
【背景技術】
【０００２】
従来より、流体を吸込み、吐出するポンプとしては、種々のポンプが知られているが、小流量で高揚程のポンプが望まれる場合がある。このようなポンプとしては、流路の吸込口側と吐出口側とを区画するように仕切部が設けられたケーシング内に、外周部に複数の羽根片が周方向に間隔を空けて設けられたインペラ（羽根車）を回転自在に設けたいわゆる過流ポンプ（カスケードポンプや再生ポンプとも言う）が知られている（例えば、下記特許文献１及び下記特許文献２参照）。
【先行技術文献】
【特許文献】
【０００３】
【特許文献１】特開平９−６８１８４号公報
【特許文献２】特開２０００−２０５１６６号公報
【考案の概要】
【考案が解決しようとする課題】
【０００４】
このようなポンプでは、インペラを回転させることで、吸込口から吸い込んだ流体の圧力が吐出口に至る過程で高められるものであるが、インペラの回転を伴い移動する羽根片が仕切部の吐出口付近に位置する毎に周期的に圧力が上昇するため、耳障りな高音域の騒音が生じ易いという問題があった。このような騒音を抑制すべく、回転数を変更することも考えられるが、回転数の変更により、ポンプの能力が変化することとなるため、更なる改善が望まれる。
【０００５】
本考案は、上記実情に鑑みなされたものであり、回転数を変更することなく耳障りな音を低減し得るポンプ及びこれを備えた金型温度調節装置を提供することを目的としている。
【課題を解決するための手段】
【０００６】
前記目的を達成するために、本考案に係るポンプは、流路の吸込口側と吐出口側とを区画するように仕切部が設けられたケーシング内に、外周部に複数の羽根片が周方向に間隔を空けて設けられたインペラを回転自在に設けたポンプであって、前記インペラは、電源周波数で駆動されるモーターによって回転される際の１秒間当たりの回転数に前記羽根片の枚数を乗じて得られる基本周波数が３．５ｋＨｚ〜６．０ｋＨｚの値となるように構成されていることを特徴とする。
【０００７】
また、前記目的を達成するために、本考案に係る金型温度調節装置は、温調媒体を貯留する貯留部と、この貯留部の温調媒体を金型に設けられた媒体流通路に送媒する本考案に係るポンプと、を備えていることを特徴とする。
【考案の効果】
【０００８】
本考案に係るポンプ及びこれを備えた金型温度調節装置は、上述のような構成としたことで、回転数を変更することなく耳障りな音を低減させることができる。
【図面の簡単な説明】
【０００９】
【図１】（ａ）〜（ｃ）は、本考案の一実施形態に係るポンプの一例を模式的に示し、（ａ）は、図２（ｂ）におけるＸ１−Ｘ１線矢視に概ね対応させた一部を省略した一部破断概略縦断面図、（ｂ）は、（ａ）におけるＹ−Ｙ線矢視に対応させた一部を省略した一部破断概略平面図、（ｃ）は、（ｂ）におけるＸ２−Ｘ２線矢視に対応させた一部破断概略縦断面図である。
【図２】（ａ）は、同ポンプの一部省略概略正面図、（ｂ）は、同ポンプの一部省略概略側面図である。
【図３】同ポンプを備えた本考案の一実施形態に係る金型温度調節装置の一例を組み込んだ金型温度調節システムの一例を模式的に示す概略システム構成図である。
【図４】（ａ）は、比較例のポンプの一例を模式的に示す図１（ａ）に対応させた一部破断概略縦断面図、（ｂ）は、本考案に係るポンプの実施例と同比較例とを駆動した際の官能評価の結果を示す表である。
【図５】（ａ）は、同実施例のポンプの解析結果を模式的に示すグラフ、（ｂ）は、同比較例のポンプの解析結果を模式的に示すグラフである。
【考案を実施するための形態】
【００１０】
以下に、本考案の実施の形態について、図面を参照しながら説明する。
図１〜図３は、本実施形態に係るポンプ及びこれを備えた金型温度調節装置の一例を模式的に示す図である。
なお、図３では、媒体等が通過する経路となる管路（配管）等を、実線及び波線にて模式的に示している。
【００１１】
本実施形態に係るポンプ３は、図１及び図２に示すように、流路１４の吸込口１１側と吐出口１９側とを区画するように仕切部１７が設けられたケーシング１０内に、外周部２２に複数の羽根片２４が周方向に間隔を空けて設けられたインペラ（羽根車）２０を回転自在に設けた構成とされている。
本実施形態に係る金型温度調節装置１は、図３に示すように、温調媒体を貯留する貯留部２と、この貯留部２の温調媒体を金型７に設けられた媒体流通路８に送媒する本実施形態に係るポンプ３と、を備えている。また、ポンプ３の吸込側と貯留部２の送媒（ポンプ３）側とは、接続路４を介して接続されている。また、ポンプ３の吐出側には、金型７の媒体流通路８に接続される送媒路５が接続され、貯留部２の返媒（金型７）側には、金型７の媒体流通路８に接続される返媒路６が接続される。
【００１２】
金型７は、例えば、固定型と可動型とを有した構成とされており、これら固定型及び可動型には、温調媒体を流通させる媒体流通路８，８がそれぞれに設けられている。これら媒体流通路８，８の入口（送媒接続口）側には、送媒路５が接続され、媒体流通路８，８の出口（返媒接続口）側には、返媒路６が接続される。
送媒路５と媒体流通路８，８の入口とは、単一の送媒路５を複数に分岐させるマニホールド部やこのマニホールド部の複数の接続口に接続されたホースやチューブ等の可撓性を有した配管材を介して接続した構成としてもよい。また、マニホールド部や管路等の適所に、媒体流通路８に向けて送媒される温調媒体の通過を許容または遮断する送媒バルブを設けた構成としてもよい。
また、返媒路６と媒体流通路８，８の出口とも略同様、単一の返媒路６を複数に分岐させるマニホールド部やこのマニホールド部の複数の接続口に接続されたホースやチューブ等の可撓性を有した配管材を介して接続した構成としてもよい。また、マニホールド部や管路等の適所に、媒体流通路８から返媒される温調媒体の通過を許容または遮断する返媒バルブを設けた構成としてもよい。
【００１３】
なお、金型７の温度を検出する検出手段としての温度センサーを適所に設けた構成としてもよい。例えば、この温度センサーを、金型７に埋込状に設けた構成としてもよく、また、媒体流通路８の出口側部位や、出口近傍部位の返媒路６に設けた態様としてもよい。
また、この金型７の成形機としては、金型７の固定型と可動型とによって形成されるキャビティー等に、シリンダ等で溶融させた材料としての合成樹脂をノズル等から射出して充填し、成形品を逐次、成形する射出成形機等としてもよく、また、圧縮成形機等の他の成形機としてもよい。また、成形材料としては、合成樹脂材料に、炭素繊維やガラス繊維等の強化繊維を含有させた繊維強化合成樹脂材料等としてもよい。
【００１４】
また、金型温度調節装置１は、貯留部２において予め設定された温度となるように調節される温調媒体を送媒路５及び返媒路６を介して媒体流通路８に循環させるように供給する構成とされている。
送媒路５や接続路４、ポンプ３の接続管路等の適所には、金型７に向けて供給される温調媒体の温度を検出する温度センサーや、ポンプ３の吐出圧を検出する圧力計等が設けられている。なお、送媒路５と返媒路６または貯留部２とを、バイパスバルブが設けられたバイパス路によって接続した構成としてもよい。
貯留部２は、温調媒体を貯留する媒体タンクを構成し、当該金型温度調節装置１の稼働中には、原則的には温調媒体で満たされ満レベルとされる。また、貯留部２には、図示は省略しているが、当該貯留部２に温調媒体を供給（補給）する供給路や当該貯留部２から温調媒体を排出する（オーバーフローさせる）排出路等が接続されている。
【００１５】
また、貯留部２には、温調媒体を加熱する加熱手段としてのヒーターや、温調媒体を冷却する冷却手段としての冷却路、媒体レベルの低下を検出するレベル計等が設けられている。この貯留部２の冷却手段としては、貯留部２内の温調媒体に直接的に冷却媒体としての温調媒体を供給する冷却路を設けた直接冷却式としてもよく、または、貯留部２内や貯留部２に接続される管路を流れる温調媒体を間接的に冷却する冷却路等を設けた間接冷却式としてもよい。また、直接冷却及び間接冷却の両方を可能な構成とし、温調媒体の設定温度等に応じて直接冷却または間接冷却の選択が可能な構成とされたものでもよい。また、貯留部２には、貯留部２内の温調媒体を排出するドレン（ドレンバルブ）や、過温防止用のサーモスタット等が設けられている。また、貯留部２や適所に、貯留部２を含む系内の圧力の異常上昇を防止する開放リリーフ弁（安全弁）等を設けた構成としてもよい。
【００１６】
また、図示は省略しているが、当該金型温度調節装置１の適所には、ＣＰＵ等からなり当該金型温度調節装置１の各機器に信号線等を介して接続され各機器を制御する制御部が設けられている。また、この制御部に信号線等を介してそれぞれ接続された、各種設定などを設定、入力したり、表示したりするための表示部及び操作部を構成する表示操作部や、この表示操作部の操作により設定、入力された設定条件や入力値、各種プログラム、予め設定された各種動作条件、各種データテーブル等が格納され、各種メモリ等から構成された記憶部等が設けられている。
当該金型温度調節装置１においては、温調媒体の温度を検出する温度センサーの検出温度に基づいて、温調媒体が予め設定された所定の設定温度となるように、ヒーターへの通電制御による加熱制御及び冷却路への冷却媒体の供給制御による冷却制御が制御部によって実行される構成としてもよい。
【００１７】
なお、温調媒体としては、水（清水）でもよく、また、油系等の他の媒体でもよい。また、温調媒体を水（清水）とした場合で、常圧の沸点よりも高温に加熱する必要がある場合には、その温度に合わせて温調媒体が沸騰しない圧力となるように系内の圧力が維持されるものとしてもよい。また、冷却媒体を水とした場合には、その供給源を、工場等に設置されるクーリングタワー等としてもよい。また、冷却媒体としては、適宜のチラー等の冷却器等によって温度制御がなされるものとしてもよく、また、間接冷却（熱交換）式とした場合には、エタノールやその他のアルコール、その他の冷却媒体としてもよい。
【００１８】
ポンプ３は、図１（ａ）及び図２に示すように、インペラ２０を回転自在に収容するケーシング１０と、インペラ２０を回転させるモーター３０と、を備えており、いわゆる過流ポンプ（カスケードポンプや再生ポンプとも言う）とされている。このポンプ３は、モーター３０を起動させれば、インペラ２０が回転され、吸込口１１側から吸い込んだ流体としての温調媒体を、吐出口１９側から吐出する構成とされている。
ケーシング１０は、インペラ２０を収容する収容室１３を区画するように形成され、略円板状とされたインペラ２０に対応させてインペラ２０の軸（回転軸３１）方向に見て、略円筒状とされている。このケーシング１０は、軸方向一方向に開口した略円筒状のケーシング本体と、このケーシング本体の開口を覆う蓋体と、を備えた構成とされたものでもよい。
【００１９】
また、ケーシング１０の流路１４は、図１（ａ）に示すように、インペラ２０の外周部２２に沿うように円弧状に設けられている。この流路１４は、図１（ｃ）に示すように、軸心側（径方向内側）に向く内周面１５と、この内周面１５の軸方向両側に連なるように設けられ、互いに向き合う方向となる軸方向に向く軸方向両側内面と、これら軸方向両側内面の軸心側に連なるように設けられ、内周面１５側となる径方向外側に向く外向面１６と、によって区画されている。換言すれば、流路１４は、軸方向に向けて開口する２つの円弧状溝を互いに向き合わせたような構成とされている。
流路１４を区画する内周面１５は、インペラ２０の外周端面との間にクリアランスとなる隙間を隔てるように、回転軸３１を円心として円弧状に形成されている。また、流路１４を区画する軸方向両側内面は、図例では、互いに平行状とした例を示しているが、軸心側に向かうに従い互いに近接（または離間）するような傾斜面（テーパ面）状としてもよい。
【００２０】
流路１４を区画する外向面１６は、後記するインペラ２０の外周部２２に設けられた羽根片２４の基端部（軸心側端部）に径方向で概ね一致した位置となるように設けられている。なお、流路１４を区画する内周面１５、軸方向両側内面及び外向面１６の入隅部を、Ｒ面形状やＣ面形状等としてもよい。
また、ケーシング１０には、内周面１５において開口するように吸込路１２と吐出路１８とが設けられている。これら吸込路１２及び吐出路１８は、内周面１５を構成する側周壁部を貫通するように設けられている。また、これら吸込路１２及び吐出路１８は、概ね径方向外側に向けて延びるように、かつ流路１４側の開口同士が周方向に間隔を空けた位置において開口するように設けられている。これら吸込路１２の流路１４側の開口と吐出路１８の流路１４側の開口との周方向の間隔は、流路１４の吸込路１２側と吐出路１８側とを仕切る観点等から適宜の間隔としてもよい。これら吸込路１２及び吐出路１８の流路１４側の開口同士の周方向の間隔は、例えば、吸込路１２及び吐出路１８の流路１４側の各開口中心と軸心とを結ぶ仮想線のなす角が２０度〜１００度程度となるような間隔でもよく、図例では、このなす角を、６０度程度とした例を示している。
【００２１】
図２（ａ）に示すように、吸込路１２の反流路側の開口が吸込口１１とされ、図例では、軸方向に向けて開口する接続口を構成している。この吸込口１１に、貯留部２の送媒側に接続される接続路４が接続される。また、吐出路１８の反流路側の開口が吐出口１９とされ、図例では、軸方向に向けて開口する接続口を構成している。この吐出口１９に、媒体流通路８に接続される送媒路５が接続される。また、図例では、これら吸込口１１及び吐出口１９を開口方向に見て円形状とした例を示している。なお、吸込路１２及び吐出路１８は、管路長手方向に見て略方形状とされたものでもよい。
また、これら吸込路１２及び吐出路１８の流路１４側の開口同士を仕切るように仕切部１７が設けられている。この仕切部１７は、上記のように円弧状溝を互いに向き合わせたような構成とされた流路１４を仕切るように設けられている。また、この仕切部１７は、円弧状溝が形成されないように、インペラ２２の外周部２２の軸方向両面に近接するように設けられている。この仕切部１７は、外向面１６から径方向外側に向けて突出するように、かつ吸込路１２及び吐出路１８の流路１４側の開口間の内周面１５に近接または当接するように設けられている。また、この仕切部１７の周方向に沿う寸法は、上記した吸込路１２及び吐出路１８の流路１４側の開口同士の周方向の間隔に応じた寸法とされている。
【００２２】
また、ケーシング１０の軸方向における少なくとも一方側には、インペラ２０の回転軸３１を回転自在に保持する軸受部や、この軸受部から軸方向外側（モーター３０側）への温調媒体の流出を抑制するメカニカルシールなどのシール部が設けられている。また、モーター３０の出力軸と回転軸３１とは、一体的にまたは適宜の継手を介して同軸状に設けられたものでもよく、また、適宜の歯車等を介して連結されたものでもよい。
なお、ケーシング１０の流路１４や仕切部１７、吸込路１２、吐出路１８の形状や、吸込口１１及び吐出口１９の開口方向等は、図例のようなものに限られず、種々の変形が可能である。
【００２３】
インペラ２０は、軸方向に見た中心部に、回転軸３１が挿通される軸挿通孔２１を設けた構成とされている。図例では、軸挿通孔２１を、回転軸３１に設けられたキー部が係合する軸心に向けて開口する溝部を設けたキー孔状とした例を示している。
また、このインペラ２０の軸挿通孔２１が設けられた中心部の軸方向に沿う寸法を、外周部２２を含む中心部の外周側部位の軸方向に沿う寸法よりも大としている。また、この中心部と羽根片２４が設けられた外周部２２との間に、外周部２２の軸方向両側から段下がり状となるように軸方向に沿う寸法が小とされた円環状部を設けた構成としている。
このインペラ２０やケーシング１０は、銅合金やステンレス、アルミニウム、鉄等の金属系材料や、繊維強化合成樹脂材料等の硬質の合成樹脂系材料等から形成されたものでもよい。
【００２４】
また、インペラ２０は、電源周波数で駆動されるモーター３０によって回転される際の１秒間当たりの回転数（ｒｐｓ）に羽根片２４の枚数を乗じて得られる基本周波数が３．５ｋＨｚ〜６．０ｋＨｚの値となるように構成されている。つまり、電源周波数が６０Ｈｚ下における極数が２のモーター（三相誘導電動機）３０の１分間当たりの回転数（同期速度）は、３６００ｒｐｍ（１秒間当たりの回転数が６０ｒｐｓ）であり、基本周波数が３．５ｋＨｚ〜６．０ｋＨｚの値となる羽根片２４の枚数は、５９枚〜１００枚となる。好ましくは、基本周波数が４．０ｋＨｚ以上の値となる羽根片２４の枚数、つまり、６７枚以上としてもよい。
また、同様に、電源周波数が５０Ｈｚ下における極数が２のモーター（三相誘導電動機）３０の１分間当たりの回転数（同期速度）は、３０００ｒｐｍ（１秒間当たりの回転数が５０ｒｐｓ）であり、基本周波数が３．５ｋＨｚ〜６．０ｋＨｚの値となる羽根片２４の枚数は、７０枚〜１２０枚となる。好ましくは、基本周波数が４．０ｋＨｚ以上の値となる羽根片２４の枚数、つまり、８０枚以上としてもよい。
なお、上記モーター３０の１分間当たりの回転数（ｒｐｍ）は、滑りを考慮した定格回転数として把握することも可能である。この場合は、羽根片２４の枚数範囲が上記範囲よりも多くなる傾向となる。また、上記では、極数が２のモーター３０の１分間当たりの回転数を例示したが、モーター３０の極数に応じて適宜、算出可能である。
【００２５】
インペラ２０の羽根片２４の枚数を少なくし過ぎれば、ピーク周波数となる基本周波数及びこの基本周波数を整数（自然数）倍した周波数（倍音）成分が、聴感曲線（等ラウドネス曲線）から最も聞こえ易い周波数帯となる３ｋＨｚ付近の値となったり、また、聴感曲線（等ラウドネス曲線）から聞こえ易い周波数帯となる２ｋＨｚ〜６ｋＨｚの間に、複数のピーク周波数が現出する傾向がある。一方、インペラ２０の羽根片２４の枚数を多くし過ぎれば、ポンプ３自体の能力が低下したり、羽根片２４を薄くする必要があることから強度が低下する傾向がある。
このような観点や電源周波数の違いに対応可能なように、本実施形態では、モーター３０の極数を２とし、インペラ２０の羽根片２４の枚数を７０枚〜９０枚としている。また、設計上及び成形上の観点等から、インペラ２０の羽根片２４の枚数を、３６０度を自然数で除した値、例えば、６０枚や７２枚、９０枚、１２０枚等としてもよい。本実施形態では、インペラ２０の羽根片２４の枚数を、電源周波数が６０Ｈｚ下において特に好ましい７２枚、つまり、基本周波数が略４．３２ｋＨｚとなる枚数としている。
【００２６】
また、本実施形態では、このインペラ２０の外周部２２の軸方向両側のそれぞれに、周方向に間隔を空けて複数の羽根片２４，２７を設けた構成としている。
また、これら軸方向両側の各羽根片２４，２７を、周方向に等間隔を空けて設けた構成としている。また、これら軸方向両側の各羽根片２４，２７を、厚さ方向を周方向に沿わせた構成、つまり、軸方向に突出するような構成としている。また、これら軸方向両側の各羽根片２４，２７の周方向に沿う厚さ寸法を、それぞれ同厚さとしている。また、これら軸方向両側の各羽根片２４，２７を、回転軸３１を円心として放射状に延びるように設けた構成としている。つまり、隣り合う羽根片２４，２４，２７，２７同士が径方向外側に向かうに従い離間するように、つまりは、径方向外側に向けて拡開状となるように設けた構成としている。
【００２７】
また、軸方向一方側部位２３の羽根片２４の枚数と軸方向他方側部位２６の羽根片２７の枚数とを、同枚数としている。つまり、軸方向両側のそれぞれに、７２枚の羽根片２４，２７を設けた構成としている。つまりは、隣り合う羽根片２４，２４，２７，２７の厚さ方向中心線を通る仮想線同士のなす角度（開き角）θ１が５度となるように、インペラ２０の外周部２２の軸方向両側に羽根片２４，２７を設けた構成としている。
また、本実施形態では、これら軸方向一方側部位２３の羽根片２４と軸方向他方側部位２６の羽根片２７とを周方向に１／２ピッチずれた位置となるように設けた構成としている。つまり、軸方向に見て、軸方向両側のうちの一方側部位２３（２６）の隣り合う羽根片２４，２４（２７，２７）間の周方向中心に、他方側部位２６（２３）の羽根片２７（２４）が位置するように、インペラ２０の外周部２２の軸方向両側に羽根片２４，２７を設けた構成としている。
【００２８】
また、これら軸方向両側の隣り合う羽根片２４，２４，２７，２７同士の間が流体としての温調媒体を受け入れる溝部２５，２８とされる。これら軸方向両側の羽根片２４，２７及び溝部２５，２８は、互いに周方向に１／２ピッチずれた構成以外は、軸方向で対称状となるように同様の構成とされている。
本実施形態では、これら軸方向両側の羽根片２４，２７を、インペラ２０の外周部２２の軸方向両側に、軸方向及び径方向外側に向けて開口する切欠状の溝部２５，２８が形成されるように設けた構成としている。換言すれば、羽根片２４，２７を残存させるように溝部２５，２８を設けた構成としている。上記した羽根片２４，２７の枚数は、これら軸方向両側の溝部２５，２８の本数と同義であり、つまり、上記した羽根片２４，２７の枚数を、溝部２５，２８の本数として把握することもできる。これら溝部２５，２８の軸方向に沿う深さ寸法や周方向に沿う幅寸法、羽根片２４，２７の厚さ寸法等は、インペラ２０の強度上の観点や、吐出量（流量）や揚程等のポンプ３の能力の低下を抑制する観点等から適宜、設定可能である。
【００２９】
また、図例では、軸方向両側の羽根片２４，２７を、インペラ２０の円環状部よりも軸方向に沿う寸法が大とされた外周部２２の径方向外側の略半部に設けた構成とし、これら羽根片２４，２７の軸方向両側端面を、外周部２２の径方向内側の軸方向両面と同一平面状とした例を示している。また、これら羽根片２４，２７の径方向外側に向く外周側端面を、内周面１５に平行状に設けた構成としている。また、外周部２２の径方向外側に設けられた羽根片２４，２７の概ね全体が径方向で流路１４内に位置するように、かつ外周部２２の径方向内側との境界部が径方向で外向面１６と概ね一致した位置となるように設けた構成としている。また、外周部２２の径方向内側の軸方向両面に、ケーシング１０の流路１４を区画するように互いに向き合う方向に突出するように形成された突段部が近接して配される構成としている。また、溝部２５，２８を、径方向外側に向かうに従い軸方向に沿う深さ寸法が大となるように設けた構成としている。図例では、溝部２５，２８の軸方向外側に向く溝底面を凹湾曲面状とした例を示している。なお、溝部２５，２８や羽根片２４，２７の形状等は、図例のものに限られず、種々の変形が可能である。
【００３０】
本実施形態に係るポンプ３及びこれを備えた金型温度調節装置１は、上述のような構成としたことで、回転数を変更することなく耳障りな音を低減することができる。
つまり、ポンプ３のインペラ２０を、電源周波数で駆動されるモーター３０によって回転される際の１秒間当たりの回転数に羽根片２４，２７の枚数を乗じて得られる基本周波数が３．５ｋＨｚ〜６．０ｋＨｚの値となるように構成している。従って、ピーク周波数となる基本周波数及びこの基本周波数を整数倍した周波数（倍音）成分が、聴感曲線（等ラウドネス曲線）から最も聞こえ易い周波数帯となる３ｋＨｚ付近の値とならず、また、聴感曲線（等ラウドネス曲線）から聞こえ易い周波数帯となる２ｋＨｚ〜６ｋＨｚの間に、複数のピーク周波数が現出することがないため、耳障りな音を効果的に低減することができる。また、基本周波数が上記範囲よりも低い値となるようにインペラ２０を構成したものと比べて、可聴範囲（２０Ｈｚ〜２０ｋＨｚ程度）におけるピーク周波数の数が少なくなるため、耳障りな音を効果的に低減することができる。また、基本周波数が上記範囲よりも高い値となるようにインペラ２０を構成したものと比べて、羽根片２４，２７の枚数増加によるポンプ３の能力の低下や強度低下等を抑制することができる。また、回転数を変更して騒音を抑制するようなものと比べて、ポンプ３の能力変化やポンプ３（モーター３０）の過負荷等を抑制することができる。
【００３１】
また、本実施形態では、モーター３０の極数を２とし、インペラ２０の羽根片２４，２７の枚数を７０枚〜９０枚としている。従って、電源周波数が５０Ｈｚ及び６０Ｈｚのいずれの場合でも、基本周波数が３．５ｋＨｚ〜６．０ｋＨｚの値となり、部品の共用化を図ることができ、汎用性を向上させることができる。また、９０枚以下とすることで、羽根片２４，２７の枚数増加によるポンプ能力の低下や、強度低下等をより効果的に抑制することができる。なお、電源周波数が５０Ｈｚ及び６０Ｈｚのいずれの場合でも、羽根片２４，２７の枚数が同一とされた共用のインペラ２０とする態様に限られず、電源周波数毎に好適な羽根片２４，２７の枚数とされたインペラ２０を適用するようにしてもよい。
【００３２】
また、本実施形態に係る金型温度調節装置１は、温調媒体を貯留する貯留部２と、この貯留部２の温調媒体を金型７に設けられた媒体流通路８に送媒するポンプ３と、を備えた構成としている。従って、比較的に流路が複雑化する傾向がある金型７の媒体流通路８に効果的に温調媒体を送出することができる。また、上記のように耳障りな音を低減できる金型温度調節装置１となる。なお、本実施形態に係るポンプ３は、金型温度調節装置１に組み込まれる態様に限られず、その他、種々の流体を移送するものとして適用可能である。
【００３３】
また、本実施形態では、インペラ２０の軸方向両側に、等間隔を空けて同枚数の羽根片２４，２７を設け、これら軸方向両側の羽根片２４，２７を、互いに１／２ピッチずれた位置となるように設けた構成とした例を示しているが、このような態様に限られない。例えば、軸方向両側の羽根片２４，２７を、１／２ピッチとは異なるピッチずれた位置となるように設けたり、また、軸方向に見て重なり合うように設けたりしてもよい。また、インペラ２０の軸方向両側の羽根片２４，２７の枚数を異ならせたり、不等間隔となるように設けたりしてもよい。この場合は、羽根片２４，２７が周方向で極端に偏在しないように、隣り合う羽根片２４，２４，２７，２７同士の周方向の最大ピッチが最小ピッチの３倍以下、好ましくは１．５倍以下程度等となるように適宜、設定するようにしてもよい。また、インペラ２０の軸方向両側に羽根片２４，２７を設けた態様に代えて、軸方向一方側のみに羽根片２４を設けた態様等としてもよい。
【００３４】
次に、本考案に係るポンプの実施例の一例と比較例とを、図４及び図５を参照して説明する。
実施例は、上記実施形態に係るポンプ３、つまり、インペラ２０が上記構成とされたものを採用した。比較例では、図４（ａ）に示すように、インペラ２０Ａの羽根片２４の枚数が実施例よりも少ない枚数となる４５枚のポンプ３Ａとした。つまり、比較例のポンプ３Ａは、隣り合う羽根片２４，２４の厚さ方向中心線を通る仮想線同士のなす角度（開き角）θ２が８度となるように、インペラ２０Ａの外周部２２Ａに羽根片２４を設けた構成とされている。つまりは、これら羽根片２４，２４によって区画される溝部２５Ａの周方向に沿う幅寸法が実施例よりも大とされている。なお、図４（ａ）では、インペラ２０Ａの軸方向一方側部位２３Ａのみを図示しているが、軸方向他方側部位にも、上記実施形態と同様、１／２ピッチずれた位置となるように、４５枚の羽根片が設けられている。また、実施例のポンプ３と比較例のポンプ３Ａとは、インペラ２０，２０Ａの羽根片２４，２４，２７，２７の枚数以外は同様の構成とされている。
【００３５】
上記構成とされた各ポンプ３，３Ａを金型温度調節装置に組み込み、温調媒体を循環させるようにポンプ３，３Ａを起動し、以下のように、官能評価試験とＦＦＴアナライザーを用いた解析とを行った。なお、図５（ａ）、（ｂ）では、サンプリング時間帯における周波数特性解析の結果を示しており、縦軸を音圧、横軸を周波数として模式的に図示している。
官能評価試験は、実施例及び比較例のポンプ３，３Ａを組み込んだ金型温度調節装置の駆動中の音評価を、男女各４名を被験者として行った。結果は、図４（ｂ）に示すように、８名中７名が実施例よりも比較例の方が耳障りな高い音や金属音等が気になる結果となった。
【００３６】
ＦＦＴアナライザーを用いた解析は、実施例及び比較例のポンプ３，３Ａを組み込んだ金型温度調節装置の駆動音を、騒音計（ＹＯＫＯＧＡＷＡ社製サウンドレベルメーター：３６０７）を用いて測定し、ＦＦＴアナライザー（小野測器社製ポータブルデュアルチャネルＦＦＴアナライザー：ＣＦ３６０）を用いて解析した。結果は、実施例では、図５（ａ）に示すように、４ｋＨｚを少し上回った付近に基本周波数のピークが現れ、以降、概ね４ｋＨｚ毎となる８ｋＨｚを少し上回った付近と１２ｋＨｚを少し上回った付近と１６ｋＨｚを少し上回った付近とに倍音のピークが現れる結果となった。なお、図５（ａ）において、１６ｋＨｚを上回った以降に波形が現れていないのは、音圧が−８０ｄＢを下回っているものと推察される。
【００３７】
一方、比較例では、図５（ｂ）に示すように、２．５ｋＨｚを少し上回った付近に基本周波数のピークが現れ、以降、概ね２．５ｋＨｚ毎となる付近に倍音のピークが現れる結果となった。この結果からも、実施例では、比較例に比して可聴範囲（２０Ｈｚ〜２０ｋＨｚ程度）におけるピーク周波数の数が少なくなることが示され、また、最も聞こえ易い周波数帯となる３ｋＨｚ付近（２．５ｋＨｚ〜３．５ｋＨｚ）にピークが現れないことが示され、耳障りな音を低減できることが示された。また、実施例においても、比較例と比べて、金型温度調節装置に適用された場合に必要となる揚程範囲で実用上、問題がない吐出量であった。
【符号の説明】
【００３８】
１          金型温度調節装置
２          貯留部
３          ポンプ
１０        ケーシング
１１        吸込口
１４        流路
１７        仕切部
１９        吐出口
２０        インペラ
２２        外周部
２４，２７  羽根片
３０        モーター
７          金型
８          媒体流通路
【図１】
0003204686.tif 000003
【図２】
0003204686.tif 000004
【図３】
0003204686.tif 000005
【図４】
0003204686.tif 000006
【図５】
0003204686.tif 000007